(57)【要約】【課題】簡単に導入及び設置でき、且つ、医療品を適切に管理することができる医療品管理システム等を提供する。【解決手段】医療品管理システム１００において、通信シート２０ａ〜２０ｃは、医療現場における医療品７０ａ〜７０ｃが置かれる場所に設置され、通信シート２０ａ〜２０ｃの内部を伝達する電磁波が通信シート２０ａ〜２０ｃの表面から浸出することによって近接場が生じる。リーダライタ１０は、通信シート２０ａ〜２０ｃに電磁波を送信し、送信した電磁波によって生じた近接場を介して、医療品７０ａ〜７０ｃに付されたタグから医療品７０ａ〜７０ｃの管理情報を読み取る。管理装置４０は、リーダライタ１０による管理情報の読み取り結果に基づいて、所定処理を実行する。【選択図】図１
2017021806.tif 000002
【特許請求の範囲】
【請求項１】
医療現場における医療品が置かれる場所に設置される通信シートであって、当該通信シートの内部を伝達する電磁波が当該通信シートの表面から浸出することによって近接場が生じる通信シートと、
前記通信シートに前記電磁波を送信し、当該送信した電磁波によって生じた前記近接場を介して、前記医療品に付されたタグから前記医療品の管理情報を読み取る読取部と、
前記読取部による前記管理情報の読み取り結果に基づいて、所定処理を実行する実行部と、
を備えたことを特徴とする医療品管理システム。
【請求項２】
前記通信シートは、少なくとも一方にメッシュ状の開孔が形成された２層のシート状導体を有し、当該通信シートの内部を伝達する電磁波が当該メッシュ状の開孔から浸出することによって、前記近接場が生じる、
ことを特徴とする請求項１に記載の医療品管理システム。
【請求項３】
前記通信シートは、前記医療品が置かれる面上に敷設される、
ことを特徴とする請求項１又は２に記載の医療品管理システム。
【請求項４】
前記通信シートと前記医療品との間に敷設されるスペーサを更に備える、
ことを特徴とする請求項３に記載の医療品管理システム。
【請求項５】
前記スペーサは、高強度の樹脂と空気とを含んで構成され、前記スペーサ全体の体積に占める前記空気の体積の割合は、閾値以上である、
ことを特徴とする請求項４に記載の医療品管理システム。
【請求項６】
前記スペーサは、プラスチックを素材として形成されたダンボールシートであるプラスチックダンボールである、
ことを特徴とする請求項４又は５に記載の医療品管理システム。
【請求項７】
前記医療品は、前記医療現場において消費される消耗品であり、
前記実行部は、前記読取部によって読み取られた前記管理情報に基づいて、前記医療品を補充すべきか否かを判定し、前記医療品を補充すべきであると判定した場合、前記医療品を発注先のサーバに発注する、
ことを特徴とする請求項１から６のいずれか１項に記載の医療品管理システム。
【請求項８】
前記実行部は、前記読取部によって読み取られた前記管理情報に基づいて定められる前記医療品の在庫量が、予め定められた閾値を下回った場合に、前記医療品を補充すべきであると判定する、
ことを特徴とする請求項７に記載の医療品管理システム。
【請求項９】
前記医療品が使用されるスケジュールを記憶するスケジュール記憶部をさらに備え、
前記実行部は、前記読取部によって読み取られた前記管理情報に基づいて定められる前記医療品の在庫量と、前記スケジュール記憶部に記憶された前記スケジュールと、に基づいて、前記医療品を補充すべきか否かを判定する、
ことを特徴とする請求項７又は８に記載の医療品管理システム。
【請求項１０】
前記通信シートは、前記医療現場における前記医療品が使用される場所に設置され、
前記医療品が使用されるスケジュールを記憶するスケジュール記憶部をさらに備え、
前記実行部は、前記スケジュール記憶部に記憶された前記スケジュールに定められた前記医療品が使用される時点において、前記読取部によって前記管理情報が前記通信シートを介して読み取られない場合に、警告を発する、
ことを特徴とする請求項１から９のいずれか１項に記載の医療品管理システム。
【請求項１１】
内部を伝達する電磁波が表面から浸出することによって近接場が生じる通信シートを、医療現場における医療品が置かれる場所に設置し、
前記通信シートに前記電磁波を送信し、当該送信した電磁波によって生じた前記近接場を介して、前記医療品に付されたタグから前記医療品の管理情報を読み取り、
前記管理情報の読み取り結果に基づいて、所定処理を実行する、
ことを特徴とする医療品管理方法。
【請求項１２】
コンピュータに、
医療現場における医療品が置かれる場所に設置される通信シートであって、当該通信シートの内部を伝達する電磁波が当該通信シートの表面から浸出することによって近接場が生じる当該通信シートに前記電磁波を送信させ、
前記送信させた電磁波によって生じた前記近接場を介して、前記医療品に付されたタグから前記医療品の管理情報を読み取らせ、
前記管理情報の読み取り結果に基づいて、所定処理を実行させる、
ことを特徴とするプログラム。
【発明の詳細な説明】
【技術分野】
【０００１】
この発明は、医療品管理システム、医療品管理方法、及び、プログラムに関する。
【背景技術】
【０００２】
ＲＦＩＤ（Radio Frequency Identification）を用いて物品の在庫を管理する技術が知られている。一般的に、ＲＦＩＤを用いた物品の在庫管理は、物品の管理情報を格納したＲＦＩＤ用のＩＣ（Integrated Circuit）タグ（ＲＦＩＤタグ又はＲＦタグともいう。）を管理対象の物品に貼付し、貼付されたＲＦタグをＲＦリーダライタにより非接触で読み取ることによって実行される。
【０００３】
例えば特許文献１は、ＲＦＩＤタグを用いて使用期限が限定されている物品を管理し、入庫された物品の先入先出しをユーザに徹底させることができる物品管理システムを開示している。具体的に特許文献１では、ＲＦＩＤタグの発信信号の変動を検出することで格納庫から物品が取出されたことを認識する。そして、取出された物品の入庫日と、物品管理情報として記憶手段に記憶された格納庫内の物品群の各入庫日と、を比較することにより、格納庫からの物品の先入先出しが守られているか否かを認識する。
【０００４】
また、特許文献２は、ＩＣタグと組み合わせて使用し、安定な読取性を示し、簡単に導入及び設置することができる通信シート、及び、通信シートを用いた情報管理システムを開示している。具体的に特許文献２に開示された情報管理システムでは、通信機器が通信シートの表面に接触又は近接することで、通信機器との間で通信を行うことができる。また、複数の通信機器が通信シートの表面に接触又は近接している場合には、これら複数の通信機器間の通信を中継することができる。特許文献２は、このような情報管理システムを、図書館における蔵書管理、オフィス内における書類管理、販売店舗における商品管理、研究施設における薬品管理等の物品管理に適用することができることを開示している。
【先行技術文献】
【特許文献】
【０００５】
【特許文献１】特開２００５−８２３８１号公報
【特許文献２】特許第５３１８２１９号公報
【発明の概要】
【発明が解決しようとする課題】
【０００６】
ところで、病院、診療所、保健所等の医療現場における医療品の管理は、他の物品の管理に比べて、医療品の不足、誤使用、紛失、発注漏れによる欠品等を高い精度で防止することが求められる。
【０００７】
そこで、本発明は、上述した事情に鑑みてなされたものであり、簡単に導入及び設置でき、且つ、医療品を適切に管理することができる医療品管理システム等を提供することを目的とする。
【課題を解決するための手段】
【０００８】
本発明の第１の観点に係る医療品管理システムは、
医療現場における医療品が置かれる場所に設置される通信シートであって、当該通信シートの内部を伝達する電磁波が当該通信シートの表面から浸出することによって近接場が生じる通信シートと、
前記通信シートに前記電磁波を送信し、当該送信した電磁波によって生じた前記近接場を介して、前記医療品に付されたタグから前記医療品の管理情報を読み取る読取部と、
前記読取部による前記管理情報の読み取り結果に基づいて、所定処理を実行する実行部と、
を備えたことを特徴とする。
【０００９】
また、前記通信シートは、少なくとも一方にメッシュ状の開孔が形成された２層のシート状導体を有し、当該通信シートの内部を伝達する電磁波が当該メッシュ状の開孔から浸出することによって、前記近接場が生じてもよい。
【００１０】
また、前記通信シートは、前記医療品が置かれる面上に敷設されてもよい。
【００１１】
また、前記通信シートと前記医療品との間に敷設されるスペーサを更に備えてもよい。
【００１２】
また、前記スペーサは、高強度の樹脂と空気とを含んで構成され、前記スペーサ全体の体積に占める前記空気の体積の割合は、閾値以上であってもよい。
【００１３】
前記スペーサは、プラスチックを素材として形成されたダンボールシートであるプラスチックダンボールであってもよい。
【００１４】
また、前記医療品は、前記医療現場において消費される消耗品であり、
前記実行部は、前記読取部によって読み取られた前記管理情報に基づいて、前記医療品を補充すべきか否かを判定し、前記医療品を補充すべきであると判定した場合、前記医療品を発注先のサーバに発注してもよい。
【００１５】
また、前記実行部は、前記読取部によって読み取られた前記管理情報に基づいて定められる前記医療品の在庫量が、予め定められた閾値を下回った場合に、前記医療品を補充すべきであると判定してもよい。
【００１６】
また、前記医療品が使用されるスケジュールを記憶するスケジュール記憶部をさらに備え、
前記実行部は、前記読取部によって読み取られた前記管理情報に基づいて定められる前記医療品の在庫量と、前記スケジュール記憶部に記憶された前記スケジュールと、に基づいて、前記医療品を補充すべきか否かを判定してもよい。
【００１７】
また、前記通信シートは、前記医療現場における前記医療品が使用される場所に設置され、
前記医療品が使用されるスケジュールを記憶するスケジュール記憶部をさらに備え、
前記実行部は、前記スケジュール記憶部に記憶された前記スケジュールに定められた前記医療品が使用される時点において、前記読取部によって前記管理情報が前記通信シートを介して読み取られない場合に、警告を発してもよい。
【００１８】
本発明の第２の観点に係る医療品管理方法は、
内部を伝達する電磁波が表面から浸出することによって近接場が生じる通信シートを、医療現場における医療品が置かれる場所に設置し、
前記通信シートに前記電磁波を送信し、当該送信した電磁波によって生じた前記近接場を介して、前記医療品に付されたタグから前記医療品の管理情報を読み取り、
前記管理情報の読み取り結果に基づいて、所定処理を実行する、
ことを特徴とする。
【００１９】
本発明の第３の観点に係るプログラムは、
コンピュータに、
医療現場における医療品が置かれる場所に設置される通信シートであって、当該通信シートの内部を伝達する電磁波が当該通信シートの表面から浸出することによって近接場が生じる当該通信シートに前記電磁波を送信させ、
前記送信させた電磁波によって生じた前記近接場を介して、前記医療品に付されたタグから前記医療品の管理情報を読み取らせ、
前記管理情報の読み取り結果に基づいて、所定処理を実行させる、
ことを特徴とする。
【発明の効果】
【００２０】
本発明によれば、簡単に導入及び設置でき、且つ、医療品を適切に管理することができる医療品管理システム等を提供することができる。
【図面の簡単な説明】
【００２１】
【図１】本発明の実施形態１に係る医療品管理システムの概要を示す図である。
【図２】タグが付された医療品の例を示す図である。
【図３】通信シートの構成を説明するための図である。（Ａ）は平面図、（Ｂ）はＡ−Ａ線の断面図、（Ｃ）はタグが付された医療品が通信シート上に置かれた様子を示す図である。
【図４】医療品管理システムの構成を示すブロック図である。
【図５】医療品の管理テーブルの例を示す図である。
【図６】医療品が使用されるスケジュールの例を示す図である。
【図７】管理装置において実行される医療品管理処理の流れを示すフローチャートである。
【図８】警告画面の例を示す図である。
【図９】本発明の実施形態２に係る医療品管理システムの概要を示す図である。
【図１０】タグが付された医療品の例を示す図である。（Ａ）は、充電器を内蔵する医療品を示す図であり、（Ｂ）は、導体部を内蔵する医療品を示す図である。
【図１１】タグが付された医療品が通信シート上に置かれた様子を示す図である。（Ａ）は、タグが付された医療品がスペーサを介さずに通信シート上に置かれた様子を示す図であり、（Ｂ）は、タグが付された医療品がスペーサを介して通信シート上に置かれた様子を示す図である。
【発明を実施するための形態】
【００２２】
以下、本発明の実施形態について、図面を参照して説明する。なお、図中同一又は相当する部分には同一符号を付す。
【００２３】
（実施形態１）
図１に、本実施形態に係る医療品管理システム１００を示す。医療品管理システム１００は、医療現場に設置され、医療現場における医療品の所在や在庫を管理するシステムである。ここで、医療現場とは、病院をはじめ、診療所、保健所、福祉施設等、医療品が使用されて医療行為が行われる建物、施設、設備等である。また、医療品とは、医療行為において治療等のために使用される器材や機器等である。医療品の例として、注射器、カテーテル、人工血管、血液ポンプ、輸血製剤、体温計、血圧計、内視鏡、ガーゼ等、様々なものが挙げられる。
【００２４】
医療品管理システム１００は、図１に示すように、キャビネット３０に設置された通信シート２０ａ〜２０ｃと、リーダライタ１０と、管理装置４０と、データベース５０と、端末装置６０と、を備える。通信シート２０ａ〜２０ｃとリーダライタ１０とは、同軸ケーブル３５を介して接続され、リーダライタ１０と管理装置４０とは、ＬＡＮケーブル１１を介して接続され、管理装置４０とデータベース５０と端末装置６０とは、ＬＡＮケーブル１２を介して接続されている。また、管理装置４０、データベース５０、及び、端末装置６０は、外部ネットワーク８０を介して医療問屋に設置された医療問屋サーバ９０と接続されている。
【００２５】
通信シート２０ａ〜２０ｃは、それぞれ、表面に生じる近接場を介して、表面に接触又は近接した通信機器と通信を行うシート状の媒体（シート状のアンテナ）である。ここで、シート状とは、２次元の面としての広がりを持ち、厚さが薄い形状（平板状）をいう。通信シート２０ａ〜２０ｃは、それぞれ、リーダライタ１０におけるアンテナの機能を有する。
【００２６】
通信シート２０ａ〜２０ｃは、それぞれ、医療現場に設けられたキャビネット３０の医療品が置かれる面上、すなわち各収納棚の棚板（床面）上に敷設される。キャビネット３０の各収納棚には、様々な医療品７０ａ〜７０ｃ（図１では外観として医療品７０ａ〜７０ｃが内部に入れられたパッケージ（外箱）を示している。）が未使用の状態で置かれ、保管される。
なお、図１に示していないが、キャビネットの引き出し部に通信シートを設置してもよいことはいうまでもない。
【００２７】
なお、以下では、医療品７０ａ〜７０ｃ等の管理対象となる医療品７０のそれぞれを区別せずに称する場合には、医療品７０と総称する。同様に、通信シート２０ａ〜２０ｃのそれぞれを区別せずに称する場合には、通信シート２０と総称する。
【００２８】
図２に示すように、キャビネット３０に置かれる医療品７０のそれぞれには、医療品７０の管理情報を格納したＲＦタグ７１が付される。ＲＦタグ７１に格納される管理情報は、このＲＦタグ７１が付された医療品７０に関する情報であって、例えば医療品７０のＩＤ（識別情報）、品名を示す情報、保管場所に関する情報、使用期限等である。このような医療品７０の管理情報が、医療品７０が置かれた場所に設置された通信シート２０によってＲＦタグ７１から読み取られる。
【００２９】
なお、図２は、ＲＦタグ７１が医療品７０のパッケージ（外箱）に付されている様子を示している。このように、医療品７０によっては医療品７０そのものにＲＦタグ７１を付すことが不適切な場合もあるため、医療品７０にＲＦタグ７１が付されることは、ＲＦタグ７１が医療品７０そのものに付されることに加えて、ＲＦタグ７１が、医療品７０を内包するパッケージ等、医療品７０と共に置かれるものに付されることも含む。ＲＦタグ７１がパッケージに付される場合、ＲＦタグ７１が付される位置は、パッケージの外面でも内面でもどちらでもよい。
【００３０】
医療品７０がカテーテル等の比較的サイズが小さいものである場合、１つのパッケージ内には、複数の医療品７０が含まれていてもよい。この場合、複数の医療品７０が入れられたパッケージに付された１つのＲＦタグ７１には、これら複数の医療品７０に関する共通の管理情報が格納される。
【００３１】
ＲＦタグ７１を医療品７０に付する方法は、シールやテープ等で貼り付ける等、どのような方法であってもよい。ＲＦタグ７１を医療品７０に付する位置は、医療品７０又はそのパッケージの形状や特性を考慮して決めることができる。例えば、ＲＦタグ７１は、通信シート２０によって読み取られ易いよう、医療品７０におけるＲＦタグ７１を付することが可能な領域のうち、通信シート２０に近い位置、すなわち上側よりも下側に近い位置に付されることが好適である。
【００３２】
また、ＲＦタグ７１は、自己電源を有しないパッシブタグである。すなわち、ＲＦタグ７１は、外部（具体的には通信シート２０）から供給された電磁波をエネルギー源として動作する。
【００３３】
リーダライタ１０は、通信シート２０を介して、通信シート２０が設置された場所に置かれた医療品７０に付されたＲＦタグ７１から、医療品７０の管理情報を読み取る。そのため、通信シート２０は、医療品管理システム１００において管理対象となる医療品７０が置かれる様々な場所に設置される。すなわち、通信シート２０が設置される場所として、理解を容易にするため図１ではキャビネット３０のみを示しているが、キャビネット３０に限らず、医療現場における医療品７０が置かれる様々な場所（例えば保管庫や病棟において医療品７０が保管される棚、たんす、収納ボックス等のそれぞれ）に設置される。更に、通信シート２０が設置される場所には、医療品７０が保管される場所だけでなく、手術室や診療室等、医療品７０が使用される際に一時的に置かれる場所も含まれる。
【００３４】
また、リーダライタ１０は、１枚の通信シート２０によって、複数の医療品７０に付されたＲＦタグ７１から管理情報を読み取ることができる。そのため、通信シート２０は、キャビネット３０の収納棚のように、通常、複数の医療品７０が置かれる場所に設置される。
【００３５】
図３（Ａ）及び図３（Ｂ）に、通信シート２０の構成を示す。
【００３６】
通信シート２０は、図３（Ａ）の平面図に示すように、厚み方向における一方側の表面に、メッシュ状の開孔が形成されたシート状導体２１を有する。また、通信シート２０は、図３（Ｂ）の断面図に示すように、厚み方向における他方側の表面に、シート状導体２１に対向して配置されるシート状導体２２を有し、２層のシート状導体２１，２２の間に誘電体２３を有する。なお、シート状導体２１の上面には、水をこぼした場合等に備えて塩化ビニル等の保護シート２４が貼り付けられている。
【００３７】
シート状導体２１及びシート状導体２２は、それぞれ例えば厚さが約３２μｍのアルミのラミネートで構成される。誘電体２３は、例えば厚さが約２ｃｍの発泡ポリオレフィンで構成される。なお、シート状導体２１及びシート状導体２２は、アルミのラミネートに限らず、銅、銀、ニッケル等の金属箔、めっき、蒸着、プリント等で構成されてもよい。また、誘電体２３は、発泡ポリオレフィンに限らず、ポリエステル、ポリアミド、芳香族ポリアミド等で構成されてもよい。例えば、誘電体２３は、オレフィン樹脂（ＴＰＯ）やスチレン樹脂（ＳＢＣ）、塩ビ樹脂（ＴＰＶＣ）、ウレタン樹脂（ＰＵ）、エステル樹脂（ＴＰＥ）、アミド樹脂（ＴＰＡＥ）、フッ素化樹脂（ＰＴＦＥ）、エポキシ樹脂、フェノール樹脂、ポリフェニレンエーテル樹脂等で構成することができる。また、誘電体２３は、織物、編物、湿式不織布、乾式不織布等の繊維構造体で構成されてもよい。更には、誘電体２３に代えて絶縁体（例えば、ガラスエポキシ素材）を用いてもよいし、誘電体２３自体用いずに、シート状導体２１、２２間は空気であってもよい。
【００３８】
誘電体２３は、周波数８００ＭＨｚ〜１０ＧＨｚにおける比誘電率が１．０〜１５、好ましくは１．０〜５．０、更に好ましくは１．０〜３．０であるものが用いられる。誘電体２３として、特に、比誘電率や加工性を考慮し、ポリエチレン（ＰＥ）やポリプロピレン（ＰＰ）といったポリオレフィン、ポリエチレンテレフタレート（ＰＥＴ）、ポリエチレンナフタレート（ＰＥＮ）、ポリブチレンテレフタレート（ＰＢＴ）、ポリトリメチレンテレフタレート（ＰＴＴ）といったポリエステル、ポリイミド（ＰＩ）が好ましく、特にポリエステル、ポリオレフィンが好ましい。また、誘電体２３は、多孔質素材であることが好ましく、例えば、空隙率５０〜８５％の発泡ポリエチレンや発泡ポリプロピレン等が挙げられる。シートが多孔質素材であることにより、シートの空隙率が上がり、比誘電率が１に近づくため、安定した通信性能を得ることができる。多孔質な素材であれば、連続発泡でも独立発泡でも構わない。
【００３９】
なお、通信シート２０は、必要に応じてカットして用いることができる。すなわち、通信シート２０は、通信シート２０が設置される場所の面積に応じて、適当なサイズにカットされ、所望の場所に設置される。
【００４０】
通信シート２０は、同軸ケーブル３５と接続するためのコネクタ２５を有する。同軸ケーブル３５の他端にはリーダライタ１０が接続されている。すなわち、図１に示したように、キャビネット３０に設置された複数の通信シート２０ａ〜２０ｃは、それぞれ同軸ケーブル３５を介してリーダライタ１０に接続されている。また、通信シート２０は、図３（Ｂ）に示すように、コネクタ２５が設けられた側とは反対側の端部に、インピーダンス調整用の終端部２６を有する。
【００４１】
リーダライタ１０は、通信シート２０に電磁波を送信し、送信した電磁波によって生じた近接場を介して、医療品７０に付されたＲＦタグ７１から医療品７０の管理情報を読み取る読取部（読取装置）である。
【００４２】
具体的に説明すると、リーダライタ１０は、各場所に設置された通信シート２０のそれぞれに、同軸ケーブル３５を介して、ＵＨＦ帯域の電磁波（波長約３０ｃｍの電波）を、予め定められた周期（例えば１秒）で繰り返し送信する。リーダライタ１０から送信された電磁波は、通信シート２０の内部を伝達する。そして、通信シート２０の内部を伝達する電磁波が通信シート２０の表面から浸出することによって、近接場が生じる。
【００４３】
より詳細に説明すると、リーダライタ１０から送信された電磁波は、２層のシート状導体２１，２２の間の誘電体２３内であって、コネクタ２５から終端部２６までの間を伝達する。そして、誘電体２３内を伝達する電磁波は、シート状導体２１に形成されたメッシュ状の開孔から浸出することによって、シート状導体２１のごく近傍の浸出領域２７（図３（Ｂ）において破線で示した領域）に漏れ出す（浸出する）。この浸出した電磁波（エバネッセント波）は、遠方へは伝搬されず、シート状導体２１のごく近傍の浸出領域２７内において近接場を形成する。
【００４４】
シート状導体２１の表面から浸出する電磁波の量、すなわち浸出領域２７の大きさは、主に、シート状導体２１に形成されたメッシュの間隔と、誘電体２３の比誘電率と、によって決まる。なお、誘電体２３内を伝達する電磁波は、通信シート２０のシート状導体２２側の表面には開孔が形成されておらずシールドされているため、シート状導体２２側からは浸出しない。
【００４５】
図３（Ｃ）に示すように、通信シート２０が設置された場所に医療品７０が置かれると、医療品７０に付されたＲＦタグ７１が、近接場が生じている浸出領域２７に入る。ＲＦタグ７１は、このように通信シート２０の浸出領域２７にまで近接すると、通信シート２０の表面に形成されている近接場を検知し、通信シート２０へ向けて、格納されている管理情報を示す信号を発信する。リーダライタ１０は、通信シート２０を介して、ＲＦタグ７１から発信された信号を受信することで、ＲＦタグ７１に格納された情報を読み取る。
【００４６】
リーダライタ１０は、このような電磁波の送信とＲＦタグ７１からの信号を受信する送受信部と、この送受信部を制御する制御部と、上位の管理装置４０とＬＡＮ（Local Area Network）ケーブル１１を介して通信するための通信インタフェースと、を備える。制御部は、通信シート２０への電磁波の送信タイミングを制御し、読み取った情報をそのまま、あるいは加工して、ＬＡＮケーブル１１で接続される上位の管理装置４０、及び管理装置４０とＬＡＮケーブル１２を介して接続される更に上位の端末装置６０に、通信インタフェースを介して通知する。
【００４７】
次に、図４を参照して、医療品管理システム１００における管理装置４０及び端末装置６０の構成について説明する。
【００４８】
管理装置４０は、リーダライタ１０（読取部）によるＲＦタグ７１からの管理情報の読み取り結果に基づいて、医療品管理システム１００における医療品７０の管理に係る所定処理を実行する実行部である。管理装置４０は、専用又は汎用のコンピュータ等によって構成される。或いは、管理装置４０は、既存の各種電子機器に組み込まれて構成されることもできる。
【００４９】
管理装置４０は、図４に示すように、制御部４２と、通信インタフェース４３と、記憶部４４と、操作部４５と、を備える。
【００５０】
制御部４２は、ＣＰＵ（Central Processing Unit）、ＲＯＭ（Read Only Memory）、ＲＡＭ（Random Access Memory）等によって構成される。制御部４２は、ＲＯＭに記憶されたプログラムに従って管理装置４０が具備する各種機能を制御することにより、管理装置４０における各種処理を実行する。
【００５１】
通信インタフェース４３は、ＬＡＮケーブル１１を介してリーダライタ１０と通信するためのＬＡＮポート、及び、ＬＡＮケーブル１２を介してデータベース５０及び端末装置６０と通信するためのＬＡＮポート等によって構成される。
記憶部４４は、フラッシュメモリやハードディスクドライブ等の不揮発性メモリによって構成される。記憶部４４は、ＲＦタグ７１から読み取った医療品７０の管理情報等、制御部４２が各種処理を実行することにより生成又は取得されるデータを記憶する。
操作部４５は、管理装置４０の電源スイッチや設定を初期化するリセットボタン等によって構成される。
【００５２】
制御部４２は、リーダライタ１０が通信シート２０を介してＲＦタグ７１から読み取った医療品７０の管理情報を収集し、収集した管理情報をデータベース５０に格納する。そして、制御部４２は、データベース５０に記憶された管理情報に基づいて、医療品７０の管理に係る処理を実行する。
【００５３】
データベース５０は、図４に示すように、医療品７０の管理情報を示す管理テーブル５１と、医療品７０の使用予定を示すスケジュール５２と、を記憶する。データベース５０は、ハードディスクドライブ等の不揮発性メモリによって構成される。
【００５４】
図５に、データベース５０に記憶される管理テーブル５１の例を示す。管理装置４０の制御部４２は、医療現場の様々な場所に設置された通信シート２０を介して読み取られた多数の医療品７０の管理情報を収集して、図５に示すような管理テーブル５１を順次生成及び更新していく。
【００５５】
具体的に説明すると、管理テーブル５１は、管理情報として、ＩＤ（識別情報）、品名コード、品名、納品日、使用期限、状況、所在等の情報を記憶する。以下、各項目について説明する。
【００５６】
「ＩＤ」は、医療品７０のそれぞれを識別可能なように、医療品７０毎にユニークに設定された情報である。
「品名コード」は、カテーテル、人工血管等の医療品７０の品名を示すコードである。ＩＤが異なる医療品７０であっても、品名が同じであれば、同じ品名コードが設定される。
ＩＤ及び品名コードは、例えば医療品７０に付されたＲＦタグ７１に格納されており、ＲＦラグ７１から読み取られた情報が管理テーブル５１に記憶される。
「品名」は、管理テーブル５１に記憶された医療品７０のそれぞれが何であるかをユーザが把握しやすいように、品名コードが示す品名を表したものである。品名コードと品名との対応関係は、管理装置４０内に記憶されていてもよいし、外部ネットワーク８０を介してクラウドサーバから取得してもよい。
【００５７】
「納品日」は、医療品７０が病院等の医療現場に納品された日付を示す。納品日として、その医療品７０に付されたＲＦタグ７１を最初に読み取った日付が格納される。
「使用期限」は、医療品７０が安全及び有効に使用されることを保証するために設定された期限を示す。使用期限は、医療品７０に付されたＲＦタグ７１に格納されており、ＲＦラグ７１から読み取られた情報が管理テーブル５１に記憶されてもよい。或いは、ＩＤに基づいて管理装置４０が外部ネットワーク８０を介してクラウドサーバから取得するものであってもよい。
【００５８】
「状況」は、医療品７０の現在の状況、具体的にはその医療品７０が、通信シート２０が設置された場所に現在存在しているか否かを示す。その医療品７０のＩＤが、医療現場に設置されたいずれかの通信シート２０を介して読み取れられた場合、「状況」の項目欄には「あり」との情報が格納される。これに対して、その医療品７０のＩＤが、医療現場に設置されたどの通信シート２０からも読み取られなかった場合、「状況」の項目欄には「持出中」との情報が格納される。
【００５９】
「所在」は、医療品７０の現在の所在場所を示す。具体的に説明すると、「状況」の項目欄に「あり」と格納されている場合、「所在」の項目欄には、その医療品７０のＩＤが最後に読み取られた通信シート２０が設置された場所（例えば保管庫Ａ、保管庫Ｂ、手術室Ｂ等）が格納される。これに対して、「状況」の項目欄に「持出中」と格納されている場合は、その医療品７０の所在場所が不明であるため、「所在」の項目欄には何も格納されない。
【００６０】
管理装置４０の制御部４２は、このような管理情報を格納した管理テーブル５１を、様々な場所に設置された通信シート２０を介してＲＦタグ７１から医療品７０の管理情報を取得する毎に、更新していく。具体的に説明すると、制御部４２は、ＲＦタグ７１から読み取った管理情報に含まれるＩＤと、管理テーブル５１内に記憶された各ＩＤと、を比較することにより、読み取った管理情報が管理テーブル５１内に既に存在しているか否かを判別しながら、以下の（１）〜（３）に示すような手順でデータベース５０を更新していく。
【００６１】
（１）例えば納品時等、医療品７０が医療現場に初めて持ち込まれた場合、その医療品７０の管理情報は、管理テーブル５１内に存在しない。この場合、制御部４２は、管理テーブル５１内に新たな行を追加して、管理テーブル５１の各項目欄に読み取った管理情報を格納する。例えば、制御部４２は、管理テーブル５１の「納品日」の項目欄には、読み取った日付を格納し、「状況」の項目欄には、「あり」と格納し、「所在」の項目欄には、管理情報を読み取った通信シート２０が設置された場所を格納する。
（２）これに対して、既に納品された医療品７０が医療現場内に保管されている場合、その医療品７０の管理情報は、管理テーブル５１内に既に存在する。この場合、制御部４２は、管理テーブル５１内のその医療品７０の管理情報を、新たに読み取った管理情報に更新する。例えば、その医療品７０が保管室Ａから保管室Ｂに移動した場合等、以前とは別の通信シート２０で管理情報を読み取った場合、制御部４２は、管理テーブル５１の「所在」の項目欄を、新たに管理情報を読み取った通信シート２０が設置された場所に更新する。一方で、新たに読み取った管理情報が以前に読み取った管理情報と同じである場合は、管理テーブル５１は変更されない。
（３）更に、医療品７０が持ち出されて使用されている場合や廃棄された場合、その医療品７０の管理情報は、通信シート２０を介して読み取られない。そのため、制御部４２は、管理テーブル５１内に存在しているにも拘わらず、所定時間が経過してもどの通信シート２０からも読み取られない管理情報がある場合は、制御部４２は、管理テーブル５１内のその医療品７０の「状況」の項目欄を「持出中」に変更し、且つ、「所在」の項目欄に格納された情報を削除する。なお、「状況」の項目欄が「持出中」に変更された医療品７０のＩＤが再度いずれかの通信シート２０を介して読み出された場合、その医療品７０の持ち出しが完了したと判定して、「状況」の項目欄を「あり」に戻す。
【００６２】
このようにして管理テーブル５１において医療品７０の状況や所在を管理することで、医療品７０の在庫状況をリアルタイムで把握することができ、また自動的に棚卸することができる。更に、医療品７０の所在をリアルタイムで把握することができるため、医療品７０の紛失の防止につながる。また、「状況」の項目欄が「持出中」となった回数や時間を記録することで、医療品７０の使用頻度の情報も取得することができる。
【００６３】
順次更新される管理テーブル５１の情報は、端末装置６０からの要求に応じて端末装置６０に送信される。端末装置６０は、ユーザによって操作される装置であって、例えばＰＣ（Personal Computer）、タブレット端末、スマートフォン等の情報処理装置である。
【００６４】
図４に示すように、端末装置６０は、制御部６２と、通信インタフェース６３と、操作部６５と、表示部６６と、を備える。
【００６５】
制御部６２は、ＣＰＵ、ＲＯＭ、ＲＡＭ等によって構成される。制御部６２は、ＲＯＭに記憶されたプログラムに従って端末装置６０が具備する各種機能を制御することにより、端末装置６０における各種処理を実行する。
【００６６】
通信インタフェース６３は、ＬＡＮケーブル１２を介して管理装置４０及びデータベース５０と通信するためのＬＡＮポート等によって構成される。
操作部６５は、例えばキーボード、マウス、ボタン又はタッチパネル等によって構成される。操作部６５は、ユーザから入力された各種の操作指示を受け付け、受け付けた操作指示を制御部６２に送信する。
表示部６６は、例えば液晶ディスプレイ等によって構成される。表示部６６は、例えば制御部６２が管理装置４０から受信したデータ等、表示すべきデータを制御部６２から取得して、取得したデータを示す画像を表示する。
【００６７】
端末装置６０には、医療品管理システム１００における医療品７０の管理処理を実現するための所定のアプリケーションプログラムが、予めインストールされる。制御部６２は、予めインストールされたアプリケーションプログラムに従って、データベース５０に対して管理テーブル５１の情報を要求する。そして、制御部６２は、通信インタフェース６３を介してデータベース５０に記憶された管理テーブル５１の情報を取得し、表示部６６に表示する。これにより、ユーザは、医療現場内の医療品７０の所在や在庫の情報を、リアルタイムで得ることができる。
【００６８】
なお、端末装置６０は、１台だけでなく、様々な場所からユーザが医療品７０の管理情報を取得できるように、医療現場の内外問わず、データベース５０にアクセス可能な様々な場所に設置することができる。これにより、様々な場所のユーザに、データベース５０に記憶された管理テーブル５１の情報を取得してユーザに提示することができる。
【００６９】
また、データベース５０は、管理テーブル５１に加えて、医療品７０が使用されるスケジュール５２を記憶するスケジュール記憶部としても機能する。
【００７０】
図６に、データベース５０に記憶されるスケジュール５２の例を示す。スケジュール５２は、医療品管理システム１００が設置された医療現場における、医療品７０が使用される日時、場所、及び、使用する医療品７０及びその個数の情報を格納している。例えば図６に示すスケジュール５２は、第１に、２０１５年７月１日の１０時から１２時の間に、手術室Ａにおいて、カテーテル３個、注射器５個等の医療品７０が必要であることを示している。
【００７１】
このようなスケジュール５２は、例えばユーザが端末装置６０の操作部６５を操作して、入力及び更新することができる。或いは、医療現場における医療品７０の使用されるスケジュールがクラウドサーバで管理されており、クラウドサーバから適宜のタイミングで順次スケジュールを取得して、データベース５０に記憶されたスケジュール５２を更新することもできる。
【００７２】
次に、管理装置４０において実行される医療品管理処理の流れについて、図７に示すフローチャートを参照して、説明する。
【００７３】
図７のフローチャートに示す医療品管理処理が開始する前に、管理対象となる医療品７０にＲＦタグ７１を付し、医療品７０が置かれる医療現場の各場所に通信シート２０を設置しておく。そして、設置された通信シート２０に接続された管理装置４０及びリーダライタ１０のそれぞれにおいて、電源が投入され、通信シート２０を介してＲＦタグ７１から情報を読み取ることが可能な状態になると、図７のフローチャートに示す医療品管理処理は開始する。
【００７４】
医療品管理処理が開始すると、管理装置４０の制御部４２は、通信シート２０を介してＲＦタグ７１から医療品７０の管理情報を読み取る読み取りタイミングが到来したか否かを判定する（ステップＳ１１）。この読み取りタイミングは、予め定められた周期（例えば１秒）で繰り返し到来する。読み取りタイミングが到来していない場合（ステップＳ１１；Ｎｏ）、制御部４２は、処理をステップＳ１１に留め、読み取りタイミングが到来するまで待機する。
【００７５】
読み取りタイミングが到来すると（ステップＳ１１；Ｙｅｓ）、制御部４２は、通信シート２０ａ〜２０ｃを介して、ＲＦタグ７１から医療品７０の管理情報を読み取る（ステップＳ１２）。具体的に説明すると、制御部４２は、管理装置４０に接続されたリーダライタ１０に対して、リーダライタ１０に接続された通信シート２０ａ〜２０ｃのそれぞれにＵＨＦ帯域の電磁波を送信するように、指令する。管理対象である医療品７０に付されたＲＦタグ７１は、リーダライタ１０から送信された電磁波を検出すると、ＲＦタグ７１に格納された医療品７０の管理情報を示す信号を、通信シート２０に発信する。リーダライタ１０は、ＲＦタグ７１から発信された管理情報を示す信号を、通信シート２０を介して受信し、管理装置４０に送信する。ステップＳ１２において、管理装置４０の制御部４２は、このようにリーダライタ１０を介してＲＦタグ７１を読み取ることで、管理対象である医療品７０の管理情報を取得する。
【００７６】
なお、上記では、読み取りタイミングは、複数の通信シート２０ａ〜２０ｃの間で共通していることを前提として説明した。しかしながら、読み取りタイミングは、複数の通信シート２０ａ〜２０ｃの間で異なっていてもよい。その場合、制御部４２は、ステップＳ１１において、複数の通信シート２０ａ〜２０ｃのうちのいずれかの読み取りタイミングが到来したか否かを判定する。そして、複数の通信シート２０ａ〜２０ｃのうちのいずれかの読み取りタイミングが到来する毎に、読み取りタイミングが到来した通信シート２０に対して個別に、上記の読み取り処理を実行する。
【００７７】
ＲＦタグ７１から医療品７０の管理情報を読み取ると、制御部４２は、読み取った管理情報によって、データベース５０を更新する（ステップＳ１３）。すなわち、制御部４２は、例えば図５に示した管理テーブル５１に対して、医療品７０が新たに納品された場合にはその管理情報を追加し、医療品７０の場所が移動した場合には「所在」の項目欄を新たな場所の情報に書き換え、医療品７０が持ち出された場合には「状況」の項目欄にその旨を示す情報に書き換える。このようにして、制御部４２は、データベース５０に記憶された管理テーブル５１を最新の情報に更新する。
【００７８】
データベース５０を更新すると、制御部４２は、データベース５０に記憶された、医療品７０が使用されるスケジュール５２を参照する（ステップＳ１４）。そして、制御部４２は、現在の医療品７０の所在が適正であるか否かを判定する（ステップＳ１５）。
【００７９】
具体的に説明すると、制御部４２は、データベース５０に記憶されたスケジュール５２に定められた医療品７０が使用される時点において、その医療品７０の管理情報がその医療品７０が使用される場所に設置された通信シート２０を介して読み取られない場合に、医療品７０の所在が適正でないと判定する。医療品７０が使用される場所とは、例えば手術室や診察室等、医療品７０の使用によって治療行為が行われる部屋や空間である。
【００８０】
例えば図６に示したスケジュール５２の例では、２０１５年７月１日の１０時から１２時の間に、手術室Ａにおいて、カテーテル３個、注射器５個等の医療品７０が必要である。この例では、制御部４２は、時刻が７月１日の１０時になった場合、又はその所定時間前（例えば１０分前等）の時点において、手術室Ａに設置された通信シート２０を介してカテーテル３個、注射器５個等の医療品７０の管理情報が読み取れなかった場合、医療品７０の所在が適正でないと判定する。このように、制御部４２は、スケジュール５２を参照して、スケジュール５２に定められた各時点において、必要な場所に必要な医療品が必要な個数以上存在しているかを判定する。
【００８１】
医療品７０の所在が適正でないと判定した場合（ステップＳ１５；Ｎｏ）、制御部４２は、警告を発する（ステップＳ１６）。例えば、制御部４２は、警告を示す所定のメッセージを端末装置６０に送信し、端末装置６０の表示部６６に、例えば図８に示すような警告画面を表示させる。これにより、ユーザは、必要な医療品７０が不足していることを認識することができる。なお、図８は、手術室Ａにカテーテルが１個不足している場合の例を示している。このような警告は、手術室や診察室等、不足している医療品７０が使用される場所に設置された端末装置６０、又はその場所に近くに設置された端末装置６０に送信されて表示されることがより効果的である。
【００８２】
このように、医療品７０の所在が適正でない場合に警告を発することにより、医療品７０の使用時における不足を防止することができる。また、誤った医療品７０を使用することの防止にもつながる。
【００８３】
一方で、ステップＳ１５において、データベース５０に記憶されたスケジュール５２に定められた医療品７０が使用される時点において、その医療品７０の管理情報がその医療品７０が使用される場所に設置された通信シート２０を介して読み取られた場合、制御部４２は、医療品７０の所在が適正であると判定する（ステップＳ１５；Ｙｅｓ）。この場合、警告を発する必要がないため、制御部４２は、ステップＳ１６の処理をスキップする。
【００８４】
次に、制御部４２は、医療品７０を補充すべきか否かを判定する（ステップＳ１７）。すなわち、医療品７０が医療現場において消費される消耗品である場合、その在庫が不足することが許されない。また、在庫が過剰であることも好ましくない。そのため、制御部４２は、リーダライタ１０によって読み取られ、データベース５０に管理テーブル５１として記憶された医療品７０の管理情報に基づいて、各医療品７０の在庫を調べて、補充が必要であるか否かを判定する。
【００８５】
医療品７０を補充すべきか否かの判定基準として、複数の判定基準を設定することができる。例えば、制御部４２は、第１の判定基準として、管理テーブル５１に記憶された管理情報に基づいて定められる医療品７０の在庫量が、予め定められた閾値を下回った場合に、医療品７０を補充すべきであると判定する。すなわち、制御部４２は、最新の管理テーブル５１に記憶された医療品７０の個数を品名毎に計算し、医療現場内に現在残っている在庫量を品名毎に取得する（例えばカテーテルの在庫量は１０個、人工血管の在庫量は５個等）。そして、取得した在庫量を予め定められた閾値と比較する。この閾値は、例えば品名毎に個別に設定することができる。
【００８６】
更に、第２の判定基準として、制御部４２は、管理テーブル５１に記憶された管理情報に基づいて定められる医療品７０の在庫量と、データベース５０に記憶されたスケジュール５２と、に基づいて、医療品７０を補充すべきであると判定する。すなわち、制御部４２は、現在の在庫量だけでなく、医療品７０が使用されるスケジュール５２も考慮して、近い将来的にいずれかの医療品７０の在庫が不足するか否かを予測する。例えば、多量の医療品７０を使用することが予定されている場合には、その医療品７０の現在の在庫量が閾値以上であっても、補充の必要が生じる。このような場合にも発注処理を実行できるよう、制御部４２は、医療品７０の現在の在庫量だけでなく、その医療品７０の使用が予定されている量を更に加味して、医療品７０を補充すべきか否かを判定する。
【００８７】
医療品７０の補充が必要であると判定した場合（ステップＳ１７；Ｙｅｓ）、制御部４２は、発注先のサーバに、補充すべき医療品７０を発注する（ステップＳ１８）。すなわち、制御部４２は、補充すべき医療品７０を取り扱っている医療問屋に設置された医療問屋サーバ９０に、外部ネットワーク８０を介して、補充すべき医療品７０の品名とその個数の情報を含む発注メールを送信する。このように、必要なタイミングで自動的に発注処理が実行されるため、ユーザが在庫管理に煩わされることなく、効率的に在庫を適切な範囲に維持することができる。
【００８８】
一方で、ステップＳ１７において、医療品７０の補充が必要でないと判定した場合（ステップＳ１７；Ｎｏ）、医療品７０を発注する必要がない。そのため、制御部４２は、ステップＳ１８の処理をスキップする。
【００８９】
その後、制御部４２は、処理をステップＳ１１に戻す。そして、制御部４２は、ステップＳ１１において、次の読み取りタイミングが到来するまで待機し、次の読み取りタイミングが到来すると、上記で説明したステップＳ１２〜Ｓ１８の処理を繰り返す。このように、管理装置４０は、通信シート２０を介して管理情報を順次読み取り、データベース５０を最新の状態に保ちながら、医療現場内の医療品７０の所在及び在庫を管理する。
【００９０】
以上説明したように、本実施形態に係る医療品管理システム１００では、内部を伝達する電磁波が表面から浸出することによって近接場が生じる通信シート２０を、医療現場における医療品７０が置かれる場所に設置し、リーダライタ１０が、通信シート２０を介して、医療品７０に付されたＲＦタグ７１から医療品７０の管理情報を読み取る。そして、読み取った管理情報に基づいて、医療現場内における医療品７０の所在及び在庫を管理する。通信シート２０は、キャビネット３０等の既存の収納手段を含む様々な場所に、簡単に導入及び設置することができるため、医療現場における医療品７０の所在を広く把握することができる。そのため、医療品７０の不足、誤使用、紛失、発注漏れによる欠品等を高い精度で防止できる。
【００９１】
（実施形態２）
実施形態１では、医療品７０が、通信シート２０上に直接配置される構成について説明した。しかしながら、かかる構成では、リーダライタ１０がＲＦタグ７１から医療品７０の管理情報を適切に読み取ることができない場合がある。本実施形態では、医療品７０の管理情報の読み取り精度を向上させるために、通信シート２０と医療品７０との間にスペーサを設ける例について説明する。
【００９２】
まず、管理情報の読み取り精度が低下する原因について説明する。管理情報の読み取り精度が低下する原因としては、リーダライタ１０とＲＦタグ７１との間の通信を妨害する通信妨害物が、通信シート２０の上面の近傍に配置されることが考えられる。通信妨害物は、例えば、通信を妨害するノイズを発生するノイズ発生源や、通信を妨害する導体部材である。
【００９３】
ノイズ発生源は、例えば、充電対象物を充電するための充電器（特に充電器が内蔵する充電回路）である。充電対象物は、医療品７０であってもよいし、医療品７０とは無関係の物品であってもよい。充電器は、充電対象物に内蔵されるタイプのものでもよいし、充電対象物に装着されて使用されるタイプのものでもよい。導体部材は、導体により構成される部材である。導体部材は、医療品７０を構成する部材であってもよいし、医療品７０とは無関係の部材であってもよい。
【００９４】
本実施形態では、充電対象物は、医療品７０ｄであり、充電器７２ｄが医療品７０ｄに内蔵されているものとする。つまり、本実施形態では、充電器７２ｄを内蔵する医療品７０ｄが通信シート２０ａ上で充電されている間に、医療品７０ｄに付されたＲＦタグ７１ｄから医療品７０ｄの管理情報を読み取る例について説明する。また、本実施形態では、導体部材は、他の医療品７０ｅの一部を構成する導体部７６ｅであるものとする。つまり、本実施形態では、医療品７０ｄとリーダライタ１０との間の通信シート２０ａ上に、導体部７６ｅを含む医療品７０ｅが配置される例について説明する。
【００９５】
図９に、本実施形態に係る医療品管理システム１１０を示す。医療品管理システム１１０は、２個の医療品７０ａに代えて医療品７０ｄ及び医療品７０ｅが通信シート２０ａ上に配置される点、医療品７０ｄを充電するための電力を供給するコンセント３１がキャビネット３０に設けられている点、及び、スペーサ２８ａ，２８ｂ，２８ｃがそれぞれ通信シート２０ａ，２０ｂ，２０ｃ上に敷設される点が医療品管理システム１００と異なる。つまり、本実施形態では、通信シート２０ａと医療品７０ｄ及び医療品７０ｅとの間にスペーサ２８ａが設けられ、通信シート２０ｂと４個の医療品７０ｂとの間にスペーサ２８ｂが設けられ、通信シート２０ｃと２個の医療品７０ｃとの間にスペーサ２８ｃが設けられる。
【００９６】
コンセント３１は、キャビネット３０に設けられ、医療品７０ｄに交流電力を供給するためのコンセントである。コンセント３１には、電源コード７４ｄが備える電源プラグ７５ｄが差し込まれる。スペーサ２８ａは、通信シート２０ａと医療品７０ｄ及び医療品７０ｅとの間に、スペースを確保するための部材である。スペーサ２８ａは、ノイズ発生源や導体部材が、通信シート２０ａが備えるシート状導体２１に近づき過ぎないように、通信シート２０ａ上に重ねて配置される部材である。スペーサ２８ｂ及びスペーサ２８ｃは、スペーサ２８ａと同様の構成及び機能を有する。
【００９７】
スペーサ２８ａは、通信に用いられる電波になるべく影響を与えずに、ノイズ発生源や導体部材と通信シート２０ａとの間にスペースを確保する素材や構造であることが好適である。従って、スペーサ２８ａは、誘電率や誘電正接がなるべく小さいことが望ましい。また、スペーサ２８ａ上には、医療品７０ｄや医療品７０ｅが載せられる。このため、スペーサ２８ａは、医療品７０ｄや医療品７０ｅの荷重に耐えられるように、十分に丈夫な素材により構成されることが望ましい。一般的な医療品の質量は２〜３ｋｇ程度であり、設置面積が３ｃｍ２前後であるとすると、単位面積当たりの荷重に換算すると、６４Ｎ／ｃｍ２〜９６Ｎ／ｃｍ２（６．５３ｋｇｆ/ｃｍ２〜９．８ｋｇｆ/ｃｍ２）程度の荷重がかかっても変形が生じない強度とすればよい。
【００９８】
スペーサ２８ａは、空隙率が高い構造であり、高強度な素材（例えば、プラスチック）により構成されることが好適である。また、スペーサ２８ａは、通信シート２０ａに重ねられるため、厚さ方向に直交する面の形状が通信シート２０ａとほぼ同じ形状であることが好適である。スペーサ２８ａは、例えば、ポリプロピレン、ポリスチレン、ポリエチレンテレフタレート、ポリカーボネートなどの高強度の樹脂により形成された中空構造の板状部材であることが好適であり、特に低誘電率、低誘電正接、成形性等の観点からは、ポリプロピレンが好適である。
【００９９】
つまり、スペーサ２８ａは、高強度の樹脂と空気とを含んで構成され、スペーサ２８ａ全体の体積に占める空気の体積の割合は高い程好ましい（例えば、７０％以上）。この割合が高い程、誘電率や誘電正接が低くなるためである。典型的には、スペーサ２８ａは、プラパール（登録商標）やサンプライ（登録商標）などに代表されるプラスチックダンボール（プラスチックを素材として形成されたダンボールシート、通称プラダン）であることが好適である。スペーサ２８ａは、多孔質の樹脂板であってもよいし、高強度の素材により骨組みされたジャングルジムのような構造の板状部材であってもよい。
【０１００】
医療品７０ｄは、充電機能を有し、充電した電力で動作する医療品である。医療品７０ｄは、例えば、電子回路を備えた計器（例えば、血圧計）である。図１０（Ａ）に示すように、医療品７０ｄは、充電器７２ｄと、蓄電池７３ｄと、電源コード７４ｄとを備える。充電器７２ｄは、医療品７０ｄに内蔵され、電源コード７４ｄを介してコンセント３１から供給された電荷を蓄電池７３ｄに蓄積する装置である。充電器７２ｄは、図示しない充電回路を備える。充電器７２ｄは、コンセント３１から供給される交流電力を直流電力に変換し、直流電力で蓄電池７３ｄを充電する。充電器７２ｄは、蓄電池７３ｄの充電中に、数１００ｋＨｚ程度の高周波をノイズとして放出する。
【０１０１】
蓄電池７３ｄは、医療品７０ｄの動力源となる電力を蓄積し、医療品７０ｄが動作する時に蓄積した電力を放電する。蓄電池７３ｄは、充電器７２ｄにより充電される。電源コード７４ｄは、蓄電池７３ｄが蓄積する電力を、コンセント３１から蓄電池７３ｄに供給する。電源コード７４ｄは、コンセント３１に差し込まれるプラグ７５ｄを備える。医療品７０ｄには、ＲＦタグ７１ｄが付される。
【０１０２】
図１０（Ｂ）に示すように、医療品７０ｅは、導体部７６ｅを含む医療品である。導体部７６ｅは、導体、つまり、金属により構成される。導体部７６ｅは、例えば、配線、筐体、金具などであり、どのような目的を達成するための金属であってもよい。医療品７０ｅには、ＲＦタグ７１ｅが付される。
【０１０３】
次に、スペーサ２８ａにより、リーダライタ１０とＲＦタグ７１ｄとの間の通信が、ノイズ発生源や導体部材から保護される手法について説明する。以下、医療品７０ｄに付されたＲＦタグ７１ｄから管理情報を読み出す例について説明する。まず、図１１（Ａ）を参照して、比較例として、スペーサ２８ａがない場合における通信の様子について説明する。
【０１０４】
図１１（Ａ）に示すように、スペーサ２８ａがない場合、医療品７０ｄと医療品７０ｅとが通信シート２０ａ上に直接配置される。ここで、医療品７０ｅは、医療品７０ｄとコネクタ２５との間に配置されるものとする。まず、理解を容易にするため、医療品７０ｄが充電中でなく、医療品７０ｅが通信シート２０ａ上に配置されていない場合について説明する。
【０１０５】
この場合、医療品７０ｄが備えるＲＦタグ７１ｄは、浸出領域２７内に配置される。このため、リーダライタ１０がコネクタ２５を介して通信シート２０に電波を注入すると、ＲＦタグ７１ｄに電波が到達する。そして、ＲＦタグ７１ｄは、電波を受信したことに応答して、管理情報を含む電波を放射する。この管理情報を含む電波は、通信シート２０内又は空気中を伝搬して、リーダライタ１０に供給される。つまり、医療品７０ｄが充電中でなく、医療品７０ｅが通信シート２０ａ上に配置されていない場合、医療品７０ｄの管理情報の読み取りは正常に実行されることが期待できる。
【０１０６】
次に、医療品７０ｄが充電中であり、医療品７０ｅが通信シート２０ａ上に配置されていない場合について説明する。まず、図１１（Ａ）に示すように、充電器７２ｄと通信シート２０ａが備えるシート状導体２１との間の距離（ｄ１）はかなり短く、充電器７２ｄが浸出領域２７内に配置されるものとする。ここで、医療品７０ｄが備える充電器７２ｄが、高周波をノイズとして放出する。この場合、充電器７２ｄ（充電器７２ｄが備える充電回路）とシート状導体２１とが結合し、充電器７２ｄから放出されたノイズがシート状導体２１に注入される。その結果、リーダライタ１０から放出された電波がＲＦタグ７１ｄに適切に到達しなかったり、ＲＦタグ７１ｄから放射された電波がリーダライタ１０に適切に到達しなかったりして、管理情報が適切に読み取れない可能性がある。つまり、医療品７０ｄが充電中であり、医療品７０ｅが通信シート２０ａ上に配置されていない場合、管理情報の読み取りが正常に実行されない可能性がある。
【０１０７】
次に、医療品７０ｄが充電中であり、医療品７０ｅが通信シート２０ａ上に配置されている場合について説明する。この場合、医療品７０ｄが備える充電器７２ｄが、高周波をノイズとして放出する。このため、上述したように、充電器７２ｄから放射されるノイズの影響により、管理情報の読み取りが正常に実行されない可能性がある。更に、この場合、医療品７０ｅが備える導体部７６ｅと通信シート２０ａが備えるシート状導体２１との間の距離（ｄ２）はかなり短い。このため、導体部７６ｅが浸出領域２７に含まれ、導体部７６ｅとシート状導体２１とが結合する可能性がある。その結果、リーダライタ１０から放出された電波がＲＦタグ７１ｄに適切に到達しなかったり、ＲＦタグ７１ｄから放射された電波がリーダライタ１０に適切に到達しなかったりする確率が高まる。つまり、医療品７０ｄが充電中であり、医療品７０ｅが通信シート２０ａ上に配置されている場合、管理情報の読み取りが正常に実行されない可能性が高い。
【０１０８】
なお、医療品７０ｄが充電中でなく、医療品７０ｅが通信シート２０ａ上に配置されている場合、導体部７６ｅの影響により、管理情報の読み取りが正常に実行されない可能性がある。
【０１０９】
次に、図１１（Ｂ）を参照して、スペーサ２８ａがある場合における通信の様子について説明する。
【０１１０】
図１１（Ｂ）に示すように、スペーサ２８ａがある場合、医療品７０ｄと医療品７０ｅとがスペーサ２８ａを介して通信シート２０ａ上に配置される。まず、医療品７０ｄが充電中でなく、医療品７０ｅが通信シート２０ａ上に配置されていない場合、充電器７２ｄから放射されるノイズの影響や導体部７６ｅの影響がないため、リーダライタ１０による管理情報の読み取りは正常に実行されることが期待できる。
【０１１１】
次に、医療品７０ｄが充電中であり、医療品７０ｅが通信シート２０ａ上に配置されていない場合について説明する。この場合、医療品７０ｄが備える充電器７２ｄが、高周波をノイズとして放出する。しかしながら、充電器７２ｄと通信シート２０ａが備えるシート状導体２１との間の距離（ｄ１）はそれ程短くならず、少なくとも、スペーサ２８ａの厚さ以上となる。その結果、充電器７２ｄが浸出領域２７外に配置される。このため、充電器７２ｄとシート状導体２１とが結合しにくくなり、又は、結合しても強く結合することはなく、充電器７２ｄから放出されたノイズはそれ程シート状導体２１に注入されない。
【０１１２】
その結果、リーダライタ１０から放出された電波がＲＦタグ７１ｄに適切に到達しなかったり、ＲＦタグ７１ｄから放射された電波がリーダライタ１０に適切に到達しなかったりする確率は低くなる。つまり、医療品７０ｄが充電中であり、医療品７０ｅが通信シート２０ａ上に配置されていない場合、管理情報の読み取りが正常に実行されない可能性は低い。
【０１１３】
次に、医療品７０ｄが充電中であり、医療品７０ｅが通信シート２０ａ上に配置されている場合について説明する。この場合、医療品７０ｄが備える充電器７２ｄが、高周波をノイズとして放出するが、上述したように、ノイズの影響により管理情報の読み取りが正常に実行されない可能性は低い。また、医療品７０ｅが備える導体部７６ｅと通信シート２０ａが備えるシート状導体２１との間の距離（ｄ２）は、それ程短くならず、少なくともスペーサ２８ａの厚さ以上となる。ここでは、導体部７６ｅは、浸出領域２７外に配置されるものとする。すると、導体部７６ｅとシート状導体２１とが結合する可能性は低く、結合したとしてもそれ程強い結合にならない。その結果、導体部７６ｅの影響により管理情報の読み取りが正常に実行されない可能性は低い。つまり、医療品７０ｄが充電中であり、医療品７０ｅが通信シート２０ａ上に配置されている場合、ノイズの影響や導体部７６ｅの影響により管理情報の読み取りが正常に実行されない可能性は低い。
【０１１４】
なお、医療品７０ｄが充電中でなく、医療品７０ｅが通信シート２０ａ上に配置される場合、導体部７６ｅの影響により管理情報の読み取りが正常に実行されない可能性は低い。
【０１１５】
本実施形態では、ノイズの発生源である充電器７２ｄとシート状導体２１との間の距離と、導体部材である導体部７６ｅとシート状導体２１との間の距離とは、少なくとも、スペーサ２８ａの厚さ以上となり、それ程、短くならない。その結果、ノイズの発生源と導体部材とが、浸出領域２７外に配置される。このため、本実施形態によれば、ノイズ発生源や導体部材の影響によりリーダライタ１０による管理情報の読み取り精度が低下することを抑制することができる。
【０１１６】
なお、スペーサ２８ａの存在により、ＲＦタグ７１ｄ（又はＲＦタグ７１ｅ）とシート状導体２１との間の距離も遠くなる。しかしながら、ＲＦタグ７１ｄ（又はＲＦタグ７１ｅ）が浸出領域２７に含まれていれば、これらの距離は多少長くも管理情報の読み取りは正常に実行される。また、ノイズの発生源と導体部材とが浸出領域２７内に配置されたとしても、スペーサ２８ａの存在によりｄ１やｄ２がある程度長くなるため、管理情報の読み取り精度が低下することをある程度抑制することができる。
【０１１７】
また、通信に用いる電波の周波数（例えば、８００ＭＨｚ〜１０ＧＨｚ）は、充電器７２ｄが発生するノイズの周波数（例えば、数１００ｋＨｚ程度）よりも数千倍から数万倍程度高い。このため、通信に用いる電波とノイズとでは、減衰特性や共振周波数が全く異なる。従って、スペーサ２８ａを設けてノイズによる影響を大幅に低減させたとしても、必ずしも、通信に用いる電波が正常に伝搬しなくなるとは限らない。つまり、通信に用いる電波が正常に伝搬する範囲で、ノイズや導体部材による影響が大幅に減衰するように、スペーサ２８ａの厚さや素材や構造を選択することが好適である。
スペーサの厚みは、一般的には１０ｍｍ程度で設定しておき、通信に用いる電波の伝搬度合、ノイズ減衰等を考慮しつつ、例えば1ｍｍ単位で調整すればよい。
【０１１８】
（変形例）
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【０１１９】
例えば、上記実施形態１では、通信シート２０は、キャビネット３０における医療品７０が置かれる面上、すなわちＲＦタグ７１から管理情報を読み取る医療品７０の下側に敷設されているとして説明したが、これに限らない。例えば、通信シート２０は、ＲＦタグ７１から管理情報を読み取る医療品７０に対して、上側又は横側（例えば医療品７０に対して上側の板の下面又は横側の板の側面）に設置されてもよい。但し、通信シート２０が通信可能な領域である浸出領域２７がごく近傍に限られることを考慮すると、通信シート２０は、医療品７０の下側に設置される方が、複数の医療品７０の管理情報を安定して読み取ることができる。
【０１２０】
また、通信シート２０は、設置される場所に単純に置かれることに限らず、例えばキャビネット３０の各収納棚の棚板の内部に組み入れられていてもよい。すなわち、キャビネット３０と通信シート２０とが一体となっていてもよい。
【０１２１】
また、上記実施形態１においては、シート状導体２１に形成される開孔はメッシュ状（網目状）であると説明したが、これに限らない。要は、通信シート２０の内部を伝達する電磁波が浸出する浸出領域２７を作れるような形状であればよい。例えば、シート状導体２１に螺旋状に開孔が形成されていてもよい。また、開孔の形状は、正方形状に限らず、他の形状（円状や菱形状）等でも構わない。さらに、上記実施形態ではシールドとして機能させるために平板であったシート状導体２２にも、シート状導体２１と同様に開孔が形成されていてもよい。
【０１２２】
また、上記実施形態１では、リーダライタ１０と管理装置４０とは、別々の装置に分かれていた。しかし、本発明において、リーダライタ１０と管理装置４０とは、１個の装置で構成されてもよい。例えば、管理装置４０が、リーダライタ１０が備えていた読取部の機能、すなわち、通信シート２０に電磁波を送信し、送信した電磁波によって生じた近接場を介して、医療品７０に付されたＲＦタグ７１から医療品７０の管理情報を読み取る機能を備えていてもよい。また、管理装置４０の個数は、医療品管理システム１００内に１台のみとは限らない。通信シート２０が設置されたキャビネット３０毎、或いは部屋毎に１台ずつ設置される等、複数の管理装置４０が設置され、複数の管理装置４０によって１つのデータベース５０が更新されてもよい。
【０１２３】
また、管理装置４０の機能を、端末装置６０が実行するように構成することもできる。すなわち、医療品管理システム１００内にミドルウェアとして機能する管理装置４０が存在せず、各端末装置６０が上述した管理装置４０の機能を備えるように構成してもよい。
【０１２４】
データベース５０は、医療品管理システム１００が設置された医療現場内でなく、医療現場外に設置されてもよい。例えば、管理テーブル５１及びスケジュール５２は、クラウドサーバで記憶及び管理されており、管理装置４０及び端末装置６０が、管理テーブル５１及びスケジュール５２に格納された情報を、必要に応じて外部ネットワーク８０を介して取得するように構成してもよい。
【０１２５】
また、上記実施形態１では、管理装置４０及び端末装置６０は、それぞれＣＰＵを備えていたが、ＣＰＵの代わりに専用の制御回路を備えていてもよい。また、リーダライタ１０、管理装置４０、及び、端末装置６０の間は、ＬＡＮケーブル１１，１２のような有線での接続に限らず、無線ＬＡＮ等のような無線で接続されていてもよい。
【０１２６】
実施形態２では、充電器７２ｄが医療品７０ｄに内蔵される例について説明したが、充電器７２ｄは医療品７０ｄの外部に設けられてもよい。また、ノイズ発生源は、充電器に限られず、また、医療品７０ｄとは無関係のものであってもよい。
【０１２７】
また、実施形態２では、医療品７０ｄが備える充電器７２ｄが、医療品７０ｄの通信に影響を与える例について説明したが、医療品７０ｄが備える充電器７２ｄが、医療品７０ｅの通信に影響を与える可能性もある。かかる場合でも、スペーサ２８ａの存在により、充電器７２ｄが発生するノイズの影響が低減することが期待できる。
【０１２８】
また、実施形態２では、導体部材が医療品７０ｅの一部である例について説明したが、導体部材は医療品７０ｅとは無関係のものであってもよい。かかる場合でも、スペーサ２８ａの存在により、導体部材の影響が低減することが期待できる。
【０１２９】
また、実施形態２では、スペーサ２８ａと通信シート２０ａとが別体である例について説明したが、スペーサ２８ａと通信シート２０ａとが一体的に形成されてもよい。
【０１３０】
なお、本発明に係る機能を実現するための構成を予め備えた管理装置及び端末装置として提供できることはもとより、プログラムの適用により、既存の情報処理装置等を、本発明に係る医療品管理システムを構成する管理装置及び端末装置として機能させることもできる。すなわち、上記実施形態で例示した管理装置４０及び端末装置６０による各機能構成を実現させるためのプログラムを、既存の情報処理装置等を制御するＣＰＵ等が実行できるように適用することで、本発明に係る医療品管理システムを構成する管理装置及び端末装置として機能させることができる。
【０１３１】
また、このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネット等の通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【符号の説明】
【０１３２】
１０…リーダライタ、１１，１２…ＬＡＮケーブル、２０，２０ａ〜２０ｃ…通信シート、２１，２２…シート状導体、２３…誘電体、２４…保護シート、２５…コネクタ、２６…終端部、２７…浸出領域、２８ａ，２８ｂ，２８ｃ…スペーサ、３０…キャビネット、３１…コンセント、３５…同軸ケーブル、４０…管理装置、４２…制御部、４３…通信インタフェース、４４…記憶部、４５…操作部、５０…データベース、５１…管理テーブル、５２…スケジュール、６０…端末装置、６２…制御部、６３…通信インタフェース、６５…操作部、６６…表示部、７０，７０ａ〜７０ｅ…医療品、７１，７１ｄ，７１ｅ…ＲＦタグ、７２ｄ…充電器、７３ｄ…蓄電池、７４ｄ…電源コード、７５ｄ…電源プラグ、７６ｅ…導体部、８０…外部ネットワーク、９０…医療問屋サーバ、１００，１１０…医療品管理システム
【図１】
2017021806.tif 000003
【図２】
2017021806.tif 000004
【図３】
2017021806.tif 000005
【図４】
2017021806.tif 000006
【図５】
2017021806.tif 000007
【図６】
2017021806.tif 000008
【図７】
2017021806.tif 000009
【図８】
2017021806.tif 000010
【図９】
2017021806.tif 000011
【図１０】
2017021806.tif 000012
【図１１】
2017021806.tif 000013